(57)【要約】【課題】  ユーザ端末ＰＣ１が利用可能なファイル形式の書画ファイルを容易に引き取り出来る蓄積装置を提供。【解決手段】  書画情報記憶手段ＨＤＤ；書画のデータ形式を２値画像データに変換する手段１７６；ディスプレイを有するユーザ端末と通信する手段８，１７８；および、該通信手段を介したユーザ端末の、ＨＤＤにあるファイルのプロパティの要求に応答して、ＨＤＤの対応ファイルのプロパティを前記ディスプレイに表示する配信手段１，ＩＭＡＣ；を備える蓄積装置ＡＣＰにおいて、配信手段は、ユーザ端末が２値画像データに適用するファイル形式ＴＩＦＦを指定してＨＤＤのファイルのダウンロードを指示する場合に、該ファイルの書画のデータ形式が２値画像データとは異なる多値画像データ（カラー画像）であるときには、変換手段１７６で２値画像データに変換し指定ファイル形式ＴＩＦＦでユーザ端末に送信する。【選択図】  図１４
2006081081.tif 000002
【特許請求の範囲】
【請求項１】
書画情報を蓄積する記憶手段；書画情報ファイルの書画情報のデータ形式を２値画像データに変換するデータ形式変換手段；ディスプレイを有するユーザ端末と通信する通信手段；および、該通信手段を介した前記ユーザ端末の、前記記憶手段にある書画情報ファイルのプロパティの要求に応答して、前記記憶手段にある対応書画情報ファイルのプロパティを前記ユーザ端末のデイスプレイに表示する配信手段、を備える書画蓄積装置において、
前記配信手段は、前記ユーザ端末が２値画像データに適用するファイル形式を指定して前記記憶手段の書画情報ファイルのダウンロードを指示する場合に、該書画情報ファイルの書画情報のデータ形式が２値画像データとは異なるデータ形式であるときには、前記データ形式変換手段で該書画情報を２値画像データに変換し前記ユーザ端末が指定するファイル形式で前記ユーザ端末に送信する；ことを特徴とする書画蓄積装置。
【請求項２】
前記プロパティの要求に応答して前記配信手段は更に、前記ユーザ端末がプロパティを要求した書画情報ファイルの画像情報に２値画像データとは異なるデータ形式の画像情報があるかも、前記ユーザ端末に表示する；請求項１に記載の書画蓄積装置。
【請求項３】
書画情報を蓄積する記憶手段；書画情報ファイルの書画情報のデータ形式を２値画像データに変換するデータ形式変換手段；該記憶手段から読み出した書画情報ファイルの書画情報のデータ形式を変換するファイル形式変換手段；ディスプレイを有するユーザ端末と通信する通信手段；および、該通信手段を介した前記ユーザ端末の、前記記憶手段にある書画情報ファイルのプロパティの要求に応答して、前記記憶手段にある対応書画情報ファイルのプロパティを前記ユーザ端末のデイスプレイに表示する配信手段、を備える書画蓄積装置において、
前記配信手段は、前記ユーザ端末が２値画像データに適用するファイル形式を指定し「２値画像データへの変換」の選択は「しない」を指定して前記記憶手段の書画情報ファイルのダウンロードを指示した場合に、該書画情報ファイルの書画情報のデータ形式が２値画像データとは異なるデータ形式であるときには、選択エラーを前記ディスプレイに表示する；ことを特徴とする書画蓄積装置。
【請求項４】
前記プロパティの要求に応答して前記配信手段は更に、前記ユーザ端末がプロパティを要求した書画情報ファイルの画像情報に２値画像データとは異なるデータ形式の画像情報があるかも前記ユーザ端末のディスプレイに表示する；請求項３に記載の書画蓄積装置。
【請求項５】
書画情報を蓄積する記憶手段；書画情報ファイルの書画情報のデータ形式を２値画像データに変換するデータ変換手段；ディスプレイを有するユーザ端末と通信する通信手段；および、該通信手段を介した前記ユーザ端末の、前記記憶手段にある書画情報ファイルのプロパティの要求に応答して、前記記憶手段にある対応書画情報ファイルのプロパティを前記ユーザ端末のデイスプレイに表示する配信手段、を備える書画蓄積装置において、
前記プロパティの要求に応答して前記配信手段は更に、前記ユーザ端末がプロパティを要求した書画情報ファイルの画像情報に２値画像データとは異なるデータ形式の画像情報があるかも表示する；ことを特徴とする書画蓄積装置。
【請求項６】
前記ユーザ端末の前記プロパティの要求に応答して前記配信手段は、前記ディスプレイに表示するファイル形式選択欄に２値画像データとは異なるデータ形式にも適用できるファイル形式を表示し「２値画像データへの変換」の選択は「しない」を表示する；請求項１乃至５の何れか１つに記載の書画蓄積装置。
【請求項７】
前記ユーザ端末の前記プロパティの要求に応答して前記配信手段は、前記ディスプレイに表示するファイル形式選択欄に２値画像データのみに適用できるファイル形式を表示し「２値画像データへの変換」の選択は「する」を表示する；請求項１乃至５の何れか１つに記載の書画蓄積装置。
【請求項８】
前記配信手段は、前記ユーザ端末からファイル形式選択欄の表示を２値画像データのみに適用できるファイル形式に変更する入力の報知があると、前記ディスプレイに表示する「２値画像データへの変換」の選択は「する」を表示する；請求項６又は７に記載の書画蓄積装置。
【請求項９】
前記配信手段は、前記ユーザ端末からファイル形式選択欄の表示を２値画像データとは異なるデータ形式にも適用できるファイル形式に変更する入力の報知があると、前記ディスプレイに表示する「２値画像データへの変換」の選択は「しない」を表示する；請求項６乃至８の何れか１つに記載の書画蓄積装置。
【請求項１０】
前記配信手段は、前記ユーザ端末の前記プロパティの要求を受けた書画情報ファイルの書画情報が２値画像データであるときには、前記ユーザ端末の前記プロパティの要求に応答して前記配信手段が前記ユーザ端末のディスプレイに表示する前記「２値画像データへの変換」の選択の欄は削除する；請求項６乃至９の何れか１つに記載の書画蓄積装置。
【請求項１１】
前記配信手段は、前記ユーザ端末が２値画像データとは異なるデータ形式にも適用できるファイル形式を指定し「２値画像データへの変換」の選択は「する」を指定して前記記憶手段の書画情報ファイルのダウンロードを指示した場合に、該書画情報ファイルの書画情報のデータ形式が２値画像データとは異なるデータ形式であるときには、確認要求を前記ユーザ端末のディスプレイに表示する；請求項１乃至１０のいずれか１つに記載の書画蓄積装置。
【請求項１２】
前記プロパティの要求に応答して前記配信手段は、前記ユーザ端末がプロパティを要求した書画情報ファイルの画像情報に２値画像データとは異なるデータ形式の画像情報がある場合には更に２値画像データとは異なるデータ形式の画像情報が含まれているページ情報を前記ユーザ端末のディスプレイに表示する；請求項１乃至１１のいずれか１つに記載の書画蓄積装置。
【請求項１３】
前記プロパティの要求に応答して前記配信手段は更に、ファイル形式選択入力，２値画像データへの変換の選択入力およびページ入力領域、を前記ユーザ端末のディスプレイに表示し；前記配信手段は、ファイル形式選択入力が２値画像データに適用するファイル形式である場合に、２値画像データとは異なるデータ形式の画像情報があるページの２値画像データへの変換の選択入力は「する」を前記ユーザ端末のディスプレイに表示する；請求項１２に記載の書画蓄積装置。
【請求項１４】
前記プロパティの要求に応答して前記配信手段は更に、ファイル形式選択入力，２値画像データへの変換の選択入力およびページ入力領域、を前記ユーザ端末のディスプレイに表示し；前記配信手段は、ファイル形式選択入力が２値画像データに適用するファイル形式である場合に、２値画像データとは異なるデータ形式の画像情報があるページの２値画像データへの変換の選択入力が「しない」に変更されるときには、選択エラーを前記ユーザ端末のディスプレイに表示する；請求項１２に記載の書画蓄積装置。
【請求項１５】
前記配信手段は、前記選択エラーを前記ディスプレイに表示するときには、選択エラーとなるページ情報も前記ユーザ端末のディスプレイに表示する；請求項１４に記載の書画蓄積装置。
【請求項１６】
請求項１乃至１５のいずれか１つに記載の書画蓄積装置； 
画像を撮像する撮像装置；および、
前記撮像装置が撮像した画像データを書画情報ファイルにして前記書画蓄積装置に蓄積する画像データ処理装置；を備える画像読み取り装置。
【請求項１７】
請求項１乃至１５のいずれか１つに記載の書画蓄積装置；
画像データが表す画像を用紙上に印刷するプリンタ；および、
前記書画蓄積装置の書画情報ファイルの画像データを前記プリンタが適応する印刷用の画像データに変換して前記プリンタに出力する画像データ処理装置；を備える画像形成装置。
【請求項１８】
請求項１乃至１５のいずれか１つに記載の書画蓄積装置；
画像を撮像する撮像装置；
画像データが表す画像を用紙上に印刷するプリンタ；および、
前記撮像装置が撮像した画像データを書画情報ファイルにして前記書画蓄積装置に蓄積し、該書画蓄積装置の書画情報ファイルの画像データを前記プリンタが適応する印刷用の画像データに変換して前記プリンタに出力する画像データ処理装置；を備える画像形成装置。
【請求項１９】
前記撮像装置は、原稿の画像を読み取って画像データを生成する原稿スキャナである；請求項１６又は１８に記載の画像形成装置。
【請求項２０】
前記画像データ処理装置は、前記書画蓄積装置の前記通信手段がユーザ端末から受信した印刷指示の画像情報を、前記プリンタが適応する印刷用の画像データに変換して前記プリンタに出力する；請求項１７又は１８に記載の画像形成装置。
【発明の詳細な説明】
【技術分野】
【０００１】
本発明は、書画情報を記憶しユーザ端末からの書画情報の転送要求に応答して書画情報ファイルをユーザ端末に転送する書画蓄積装置ならびにそれを用いる画像読み取り装置および画像形成装置に関する。本発明の書画蓄積装置は、デジタルカメラの撮影画像情報，原稿スキャナの原稿画像情報，ワープロ文章，ＣＧ，ＣＡＤ図面など電子化された書画情報を蓄積し利用する、ユーザ端末からの利用が可能なドキュメントサーバ，プリンタ，ファクシミリ装置，原稿スキャナ，またはコピー機、および、それらの複合機に使用できる。
【背景技術】
【０００２】
【特許文献１】特開２０００−  ８９９９７号公報，
【特許文献２】特開２０００−３２２３３８号公報，
【特許文献３】特開２００２−２１３１４８号公報，
【特許文献４】特開２００４−１９４２７８号公報。
【０００３】
一般にデジタルカメラ，原稿スキャナなどの画像情報ならびにパソコン（ＰＣ）で生成又は編集したドキュメントをドキュメントサーバに蓄積し、ネットワークを介してサーバの書画情報をＰＣやプリンタ或いはファクシミリ装置にダウンロードして利用するネットワークシステムはよく知られていて、デジタルカメラ，原稿スキャナあるいはＰＣの書画情報を直接に又はネットワークを介してドキュメントサーバに蓄積することも行われている。特許文献１には、この種のネットワークの概要が記載されている。また、原稿スキャナで読取った画像をファイルとしてネットワークに配信する、いわゆるネットワークスキャナは一般に普及しており、読取った画像をハードディスクに蓄積するとともに、画像をネットワーク上の端末にダウンロードすることもよくある。特許文献２にはこの種のスキャナ利用システムが記載されている。
【０００４】
近年、画像処理装置がローカルエリアネットワーク（ＬＡＮ）等のネットワークに接続され、同じネットワーク上に、多種多様な画像処理装置が繋がっていることが多くなってきた。また、それら画像処理装置内にも、画像情報を大量に蓄積できたり、あるいは、蓄積画像情報をネットワーク上の情報処理装置に送ったり、情報処理装置から引き取ったりすることができる。こうしたネットワーク環境において、画像情報を引き取る際のファイル形式は、引き取る情報処理装置側で、ファイルを開いて画像を閲覧可能なものとして、マルチページＴＩＦＦ(Tagged Image File Format)およびＰＤＦ(Portable Document Format)が一般的である。
【０００５】
データ形式には、画像の１画素に１ビットを割り当てた２値データ（２値画像データ）と、画像の１画素に数ビットを割り当てた多値データ（多値画像データ）があり、また、図形や文字の種類，位置，大きさなどを多値データ（コード）で扱うベクター・データがある。２値画像データによって、単色２値画像が表されこれを一般的には白黒画像と表現するが、例えばイエロー（Ｙ），マゼンタ（Ｍ），シアン（Ｃ）の各２値画像も表される。２値画像データはＭＨ，ＭＲ，ＭＭＲ，ＪＢＩＧ方式などで符号化されるが、圧縮率が高いＭＨ方式を用いるのが一般的である。多値画像データにはグレースケール画像（白黒写真など、単色中間調画像），カラー画像（カラー写真など、複数色中間調画像）があるが、通常はＪＰＥＧ方式で符号化される。
【０００６】
ＴＩＦＦ，ＰＤＦ共に、書画データが非圧縮であれば、２値データ（２値画像データ）および多値データ（多値画像データおよびベクター・データ）のいずれもファイル化して転送できる。しかし、転送効率を高くするために、或いは所要メモリ容量を低減するために圧縮符号化してからファイル化する場合には、多値画像データの圧縮データをマルチページＴＩＦＦにファイル化した書画情報ファイルはＰＣ（ユーザ端末）で利用できないことが多い。
【０００７】
ファイル形式のマルチページＴＩＦＦは、２値画像データの圧縮データはＴＩＦＦ−Ｓ(Tagged Image File Format Profile S)形式で、多値画像データの圧縮データはＴＩＦＦ−Ｃ（Tagged Image File Format Profile C）形式で、それぞれファイル化して転送することを、特許文献３が記載している。しかしながら、現在最も一般的に使用されているＰＣ（パソコン）ＯＳ(Operating system)のWindows(マイクロソフト社の商標)に標準装備している、ＴＩＦＦ形式を扱えるソフトウエア（例えばInternet Explorer）は、２値画像データの圧縮データしか扱えないので一般的にファイル形式がＴＩＦＦの場合、書画情報のデータ形式はＭＨ方式で圧縮符号化した２値画像データ（たとえば白黒画像）であることが一般的であり、多値画像データ（たとえばカラー画像）の圧縮データをＴＩＦＦ形式でＰＣに引き取っても、それを閲覧することができない。多値画像データでも、２値画像データに変換したものを引き取ることができれば、ＴＩＦＦ形式で引き取ることが可能である。
【０００８】
特許文献４には、カラー，モノクロのコピー機能およびプリンタ機能ならびにＦＡＸ機能と、画像ファイル蓄積機能を備えた複合機能複写機が記載されている。該複写機のＨＤＤには各種圧縮形式および解像度（ｄｐｉ）の画像データが蓄積され、画像データを利用するＰＣ又は複合機能複写機のオペレーションパネルでデータ形式を指定してＰＣへの画像データの転送を指示し、複合機能複写機が、指定があったデータ形式に画像データを変換してＰＣ2に転送する。
【発明の開示】
【発明が解決しようとする課題】
【０００９】
本発明は、ユーザ端末が利用可能なファイル形式の書画情報ファイルを容易に引き取り出来る書画蓄積装置，画像読み取り装置および画像形成装置を提供することを目的とする。
【課題を解決するための手段】
【００１０】
（１）書画情報を蓄積する記憶手段(MEM,HDD)；書画情報ファイルの書画情報のデータ形式を２値画像データに変換するデータ形式変換手段(176)；ディスプレイを有するユーザ端末(PC1)と通信する通信手段(8,178)；および、該通信手段を介した前記ユーザ端末の、前記記憶手段にある書画情報ファイルのプロパティの要求に応答して、前記記憶手段にある対応書画情報ファイルのプロパティを前記ユーザ端末のデイスプレイに表示する配信手段(1,IMAC)、を備える書画蓄積装置において、
前記配信手段(1,IMAC)は、前記ユーザ端末が２値画像データに適用するファイル形式(TIFF)を指定して前記記憶手段の書画情報ファイルのダウンロードを指示する場合に、該書画情報ファイルの書画情報のデータ形式が２値画像データとは異なるデータ形式（カラー画像）であるときには、前記データ形式変換手段(176)で該書画情報を２値画像データに変換し前記ユーザ端末が指定するファイル形式(TIFF)で前記ユーザ端末に送信する；ことを特徴とする書画蓄積装置(ACP)。
【００１１】
なお、理解を容易にするためにカッコ内には、図面に示し後述する実施例の対応要素または対応事項の符号を、例示として参考までに付記した。以下も同様である。
【発明の効果】
【００１２】
これによれば、ユーザ端末（ＰＣ１）に、２値画像データとは異なるデータ形式(カラー画像)の書画情報（カラー画像）を、２値画像データに適用するファイル形式(TIFF)で引き取ることができ、ユーザはカラー画像でも、TIFF形式で画像ファイルを活用することができる。
【発明を実施するための最良の形態】
【００１３】
（２）前記プロパティの要求に応答して前記配信手段は更に、前記ユーザ端末がプロパティを要求した書画情報ファイルの画像情報に２値画像データとは異なるデータ形式の画像情報（カラー画像）があるかも、前記ユーザ端末に表示する；上記（１）に記載の書画蓄積装置。
【００１４】
ユーザが書画情報ファイルの転送ファイル形式およびデータ形式を指定する前に、該書画情報ファイルに２値画像データとは異なるデータ形式の画像情報（カラー画像）が含まれているかどうかがユーザ利用端末のディスプレイに表示されるので、ユーザが適正なファイル形式およびデータ形式を選択することを期待できる。
【００１５】
（３）書画情報を蓄積する記憶手段(MEM,HDD)；書画情報ファイルの書画情報のデータ形式を２値画像データに変換するデータ形式変換手段(176)；ディスプレイを有するユーザ端末(PC1)と通信する通信手段(8,178)；および、該通信手段を介した前記ユーザ端末の、前記記憶手段にある書画情報ファイルのプロパティの要求に応答して、前記記憶手段にある対応書画情報ファイルのプロパティを前記ユーザ端末のディスプレイに表示する配信手段(1,IMAC)、を備える書画蓄積装置において、
前記配信手段は、前記ユーザ端末が２値画像データに適用するファイル形式(TIFF)を指定し「２値画像データへの変換」の選択は「しない」を指定して前記記憶手段の書画情報ファイルのダウンロードを指示した場合に、該書画情報ファイルの書画情報のデータ形式が２値画像データとは異なるデータ形式(カラー画像)であるときには、選択エラーを前記ディスプレイに表示する；ことを特徴とする書画蓄積装置。
【００１６】
これによれば、ユーザが指定するファイル形式(TIFF)とデータ形式の組み合わせが利用できないものであることを、ユーザ端末のディスプレイに表示してユーザに理解させることができる。
【００１７】
（４）前記プロパティの要求に応答して前記配信手段は更に、前記ユーザ端末がプロパティを要求した書画情報ファイルの画像情報に２値画像データとは異なるデータ形式の画像情報(カラー画像)があるかも前記ユーザ端末のディスプレイに表示する；上記（３）に記載の書画蓄積装置。
【００１８】
ユーザが書画情報ファイルの転送ファイル形式およびデータ形式を指定する前に、該書画情報ファイルに２値画像データとは異なるデータ形式の画像情報（カラー画像）が含まれているかどうかがユーザ利用端末のディスプレイに表示されるので、ユーザが適正なファイル形式およびデータ形式を選択することを期待できる。
【００１９】
（５）書画情報を蓄積する記憶手段(MEM,HDD)；書画情報ファイルの書画情報のデータ形式を２値画像データに変換するデータ形式変換手段(176)；ディスプレイを有するユーザ端末(PC1)と通信する通信手段(8,178)；および、該通信手段を介した前記ユーザ端末の、前記記憶手段にある書画情報ファイルのプロパティの要求に応答して、前記記憶手段にある対応書画情報ファイルのプロパティを前記ユーザ端末のディスプレイに表示する配信手段(1,IMAC)、を備える書画蓄積装置において、
前記プロパティの要求に応答して前記配信手段は更に、前記ユーザ端末がプロパティを要求した書画情報ファイルの画像情報に２値画像データとは異なるデータ形式の画像情報（カラー画像）があるかも表示する；ことを特徴とする書画蓄積装置。
【００２０】
ユーザが書画情報ファイルの転送ファイル形式およびデータ形式を指定する前に、該書画情報ファイルに２値画像データとは異なるデータ形式の画像情報（カラー画像）が含まれているかどうかがユーザ利用端末のディスプレイに表示されるので、ユーザが適正なファイル形式およびデータ形式を選択することを期待できる。
【００２１】
（６）前記ユーザ端末の前記プロパティの要求に応答して前記配信手段は、前記ディスプレイに表示するファイル形式選択欄に２値画像データとは異なるデータ形式(カラー画像)にも適用できるファイル形式(PDF)を表示し「２値画像データへの変換」の選択は「しない」を表示する；上記（１）乃至（５）の何れか１つに記載の書画蓄積装置。これによればファイル形式がカラー画像にも適用できるもの(PDF)に予め選択されているので、カラー画像の書画情報ファイルのＰＣへのダウンロードの確率が高いシステムにおいてユーザの使い勝手が良い。
【００２２】
（７）前記ユーザ端末の前記プロパティの要求に応答して前記配信手段は、前記ディスプレイに表示するファイル形式選択欄に２値画像データのみに適用できるファイル形式を表示し「２値画像データへの変換」の選択は「する」を表示する；上記（１）乃至（５）の何れか１つに記載の書画蓄積装置。これによればファイル形式が２値画像データに適用できるもの(TIFF)に予め選択されているので、白黒画像の書画情報ファイルのＰＣへのダウンロードの確率が高いシステムにおいてユーザの使い勝手が良い。
【００２３】
（８）前記配信手段は、前記ユーザ端末からファイル形式選択欄の表示を２値画像データのみに適用できるファイル形式(TIFF)に変更する入力の報知があると、前記ディスプレイに表示する「２値画像データへの変換」の選択は「する」を表示する；上記（６）又は（７）に記載の書画蓄積装置。これによればファイル形式が２値画像データに適用できるもの(TIFF)に予め選択されているので、白黒画像の書画情報ファイルのＰＣへのダウンロードの確率が高いシステムにおいてユーザの使い勝手が良い。
【００２４】
（９）前記配信手段は、前記ユーザ端末からファイル形式選択欄の表示を２値画像データとは異なるデータ形式にも適用できるファイル形式(PDF)に変更する入力の報知があると、前記ディスプレイに表示する「２値画像データへの変換」の選択は「しない」を表示する；上記（６）乃至（８）の何れか１つに記載の書画蓄積装置。引き取りファイル形式(PDF)にあわせて、その形式に最も適したデータ形式を自動的に指定するので、ユーザの使い勝手が良い。
【００２５】
（１０）前記配信手段は、前記ユーザ端末の前記プロパティの要求を受けた書画情報ファイルの書画情報が２値画像データであるときには、前記ユーザ端末の前記プロパティの要求に応答して前記配信手段が前記ユーザ端末のディスプレイに表示する前記「２値画像データへの変換」の選択の欄は削除する；上記（６）乃至（９）の何れか１つに記載の書画蓄積装置。２値画像データ（白黒画像）の場合は、白黒変換の表示自体が不要なので、変換不要な情報をユーザに見せないので、ユーザの誤ったデータ形式を指定する誤解を防ぐことができる。
【００２６】
（１１）前記配信手段は、前記ユーザ端末が２値画像データとは異なるデータ形式にも適用できるファイル形式(PDF)を指定し「２値画像データへの変換」の選択は「する」を指定して前記記憶手段の書画情報ファイルのダウンロードを指示した場合に、該書画情報ファイルの書画情報のデータ形式が２値画像データとは異なるデータ形式であるときには、確認要求を前記ユーザ端末のディスプレイに表示する；上記（１）乃至（１０）のいずれか１つに記載の書画蓄積装置。これによれば、２値画像データとは異なるデータ形式（カラー画像）にも適用できるファイル形式(PDF)を選択しているにもかかわらず、２値画像データへの変換を指定しており、書画情報ファイルの、カラー画像が２値画像データに変換されてしまう。この場合、ユーザの選択ミスも考えられるが、確認要求が表示されるのでユーザは選択ミスであるか確認して選択ミスであれば正しく変更できる。
【００２７】
（１２）前記プロパティの要求に応答して前記配信手段は、前記ユーザ端末がプロパティを要求した書画情報ファイルの画像情報に２値画像データとは異なるデータ形式の画像情報（カラー画像）がある場合には更に２値画像データとは異なるデータ形式の画像情報が含まれているページ情報を前記ユーザ端末のディスプレイに表示する；上記（１）乃至（１１）のいずれか１つに記載の書画蓄積装置。
【００２８】
ページを指定して引き取ることができる場合に、カラー画像ページが表示される。２値画像データとは異なるデータ形式（カラー画像）にも適用できるファイル形式(PDF)を選択し「２値画像データへの変換」の選択は「しない」を選択してユーザ端末に書画情報ファイルをダウンロードした場合には、何ページ目がカラー画像となるかをユーザはダウンロード前，後に知ることができる。また、２値画像データに適用するファイル形式(TIFF)を選択し「２値画像データへの変換」の選択は「する」を選択してユーザ端末に書画情報ファイルをダウンロードした場合には、何ページ目がカラー画像を白黒変換したとなるかをユーザはダウンロード前，後に知ることができる。
【００２９】
（１３）前記プロパティの要求に応答して前記配信手段は更に、ファイル形式選択入力，２値画像データへの変換の選択入力およびページ入力領域、を前記ユーザ端末のディスプレイに表示し；前記配信手段は、ファイル形式選択入力が２値画像データに適用するファイル形式(TIFF)である場合に、２値画像データとは異なるデータ形式の画像情報(カラー画像)があるページの２値画像データへの変換の選択入力は「する」を前記ユーザ端末のディスプレイに表示する；上記（１２）に記載の書画蓄積装置。これによれば、２値画像データに適用するファイル形式(TIFF)を選択した場合に２値画像データとは異なるデータ形式の画像情報(カラー画像)があるページは自動的に選択ファイル形式(TIFF)に適合する白黒画像に変換される。カラー画像が白黒画像にかわるが、画像の展開は可能である。
【００３０】
（１４）前記プロパティの要求に応答して前記配信手段は更に、ファイル形式選択入力，２値画像データへの変換の選択入力およびページ入力領域、を前記ユーザ端末のディスプレイに表示し；前記配信手段は、ファイル形式選択入力が２値画像データに適用するファイル形式(TIFF)である場合に、２値画像データとは異なるデータ形式の画像情報があるページの２値画像データへの変換の選択入力が「しない」に変更されるときには、選択エラーを前記ユーザ端末のディスプレイに表示する；上記（１２）に記載の書画蓄積装置。これによれば、ユーザの選択エラーが自動的に報知される。
【００３１】
（１５）前記配信手段は、前記選択エラーを前記ディスプレイに表示するときには、選択エラーとなるページ情報も前記ユーザ端末のディスプレイに表示する；上記（１４）に記載の書画蓄積装置。これによれば、選択エラーページの確認ができる。
【００３２】
（１６）上記（１）乃至（１５）のいずれか１つに記載の書画蓄積装置(ACP)； 
画像を撮像する撮像装置(10)；および、
前記撮像装置が撮像した画像データを書画情報ファイルにして前記書画蓄積装置に蓄積する画像データ処理装置(ACP)；を備える画像読み取り装置(10,ACP)。
【００３３】
（１７）上記（１）乃至（１５）のいずれか１つに記載の書画蓄積装置(ACP)；
画像データが表す画像を用紙上に印刷するプリンタ(14)；および、
前記書画蓄積装置の書画情報ファイルの画像データを前記プリンタが適応する印刷用の画像データに変換して前記プリンタに出力する画像データ処理装置(ACP)；を備える画像形成装置(14,ACP)。
【００３４】
（１８）上記（１）乃至（１５）のいずれか１つに記載の書画蓄積装置(ACP)；
画像を撮像する撮像装置(10)；
画像データが表す画像を用紙上に印刷するプリンタ(14)；および、
前記撮像装置が撮像した画像データを書画情報ファイルにして前記書画蓄積装置に蓄積し、該書画蓄積装置の書画情報ファイルの画像データを前記プリンタが適応する印刷用の画像データに変換して前記プリンタに出力する画像データ処理装置(ACP)；を備える画像形成装置(10,ACP,14)。
【００３５】
（１９）前記撮像装置(10)は、原稿の画像を読み取って画像データを生成する原稿スキャナ(10)である；上記（１６）又は（１８）に記載の画像形成装置(10,ACP／10,ACP,14)。
【００３６】
（２０）前記画像データ処理装置は、前記書画蓄積装置の前記通信手段がユーザ端末から受信した印刷指示の画像情報を、前記プリンタが適応する印刷用の画像データに変換して前記プリンタに出力する；上記（１７）又は（１８）に記載の画像形成装置(14,ACP／10,ACP,14)。
【００３７】
（２１）前記プロパティの要求に応答して前記配信手段が前記ユーザ端末に送信するディスプレイに表示するための情報は、書画情報ファイルの管理情報を含む；上記（１）乃至（２０）のいずれか１つに記載の装置。
【００３８】
（２２）前記プロパティの要求に応答して前記配信手段が前記ユーザ端末に送信するディスプレイに表示するための情報は、書画情報ファイルの書画情報の属性を含む；上記（１）乃至（２１）のいずれか１つに記載の装置。
【００３９】
（２３）２値画像データに適用するファイル形式はＴＩＦＦである、上記（１）乃至（２２）のいずれか１つに記載の装置。
【００４０】
（２４）ＴＩＦＦの書画情報ファイルに２値画像データを圧縮符号化して格納する、上記（２３）に記載の装置。
【００４１】
（２５）圧縮符号化はＭＨ方式である、上記（２４）に記載の装置。
【００４２】
（２６）２値画像データとは異なるデータ形式にも適用できるファイル形式はＰＤＦである、上記（１）乃至（２５）のいずれか１つに記載の装置。
【００４３】
（２７）２値画像データとは異なるデータ形式は多値画像データおよびベクター・データである、上記（２６）に記載の装置。
【００４４】
（２８）ＰＤＦの書画情報ファイルに多値画像データをＪＰＥＧ方式で圧縮符号化して格納する上記（２７）に記載の装置。
【００４５】
本発明の他の目的および特徴は、図面を参照した以下の実施例の説明より明らかになろう。
【実施例１】
【００４６】
図１に本発明の１実施例の書画蓄積装置（ＡＣＰ）を装備した複合機能複写機ＭＦ１を接続したネットワークを示す。複合機能複写機ＭＦ１はＬＡＮ（Local Area Network）に接続されている。該ＬＡＮには、ユーザ端末であるパソコンＰＣ１〜ＰＣ３ならびに他の複合機能複写機ＭＦ２，ＭＦ３も接続されている。該ＬＡＮはルータを介してインターネットに接続しているので、ＬＡＮ接続の各機器ＰＣ１〜ＰＣ３，ＭＦ１〜ＭＦ３は相互に通信して制御情報および書画情報をやり取りすることができるばかりでなく、インターネットを介して他の機器やサーバと通信して制御情報および書画情報をやり取りすることができる。各機器ＰＣ１〜ＰＣ３，ＭＦ１〜ＭＦ３はＩＰアドレスを持ち、複合機能複写機ＭＦ１〜３は、ＵＲＬを持つサイト（サーバ）でもあって、ネットワーク（ＬＡＮ又はインターネット）を介してアクセスがあると複合機能を遠隔で使用するためのメニュー画面であるトップページ（ホームページ）を返送する。たとえばＰＣ１がＭＦ１にアクセスすると、ＭＦ１がトップページをＰＣ１に送信し、ＰＣ１がそれに接続したディスプレイ（ユーザディスプレイ）に該トップページを表示する。トップページには、メニュー項目の他に、ユーザ（ＰＣ１使用者）ＩＤおよびパスワードを入力するブロックがあり、そこにユーザが、ＭＦ１に登録したＩＤおよびパスワードを入力してキーボードのＥｎｔｅｒキーを操作すると或いはトップページ上のログインボタンをクリックすると、ＰＣ１が該操作を表わす情報をＭＦ１に送信する。これに応答して、ＭＦ１がトップページのメニュー項目を選択可にする表示制御情報をＰＣ１に送信し、これによりトップページのメニュー項目がアクティブ（入力受け入れ可）になる。
【００４７】
このように本実施例では、ＭＦ１がＰＣ１に表示情報を提示（送信）し、ＰＣ１がユーザディスプレイに該表示情報を表示し、表示画面に対するユーザ入力をＰＣ１がＭＦ１に送信し、これに応答してＭＦ１が次のタスクを決定する。例えば表示画面を変更する情報をＰＣ１に送信する。すなわち、ＭＦ１がユーザデイスプレイの表示を変更し、表示画面に対するユーザ入力に応じてタスクを決定する。そこで以下では、このようなＭＦ１の情報送信動作，受信応答動作を、ユーザディスプレイに表示する，表示を切り換える，ユーザ入力に応答して・・・をする、と簡略化して表現する。
【００４８】
図２に、複合機能複写機ＭＦ１の書画情報処理系統のシステム構成を示す。このシステムでは、読取ユニット１１と画像データ出力Ｉ／Ｆ(Interface：インターフェイス)１２でなるカラー原稿スキャナ１０が、書画蓄積装置である画像データ処理装置ＡＣＰの画像データインターフェース制御ＣＤＩＣ（以下単にＣＤＩＣと表記）に接続されている。画像データ処理装置ＡＣＰにはまた、カラープリンタ１４が接続されている。カラープリンタ１４は、画像データ処理装置ＡＣＰの画像データ処理器ＩＰＰ(Image Processing Processor；以下では単にＩＰＰと記述)から、書込みＩ／Ｆ１５に記録画像データを受けて、作像ユニット１６でプリントアウトする。カラー原稿スキャナ１０は図４に示すもの、作像ユニット１６は、図５に示すものである。複合機能複写機ＭＦ１の外観は図３に示す。
【００４９】
図２に示す画像データ処理装置ＡＣＰ（以下では単にＡＣＰと記述）は、パラレルバスＰｂ，画像メモリアクセス制御ＩＭＡＣ（以下では単にＩＭＡＣと記述），画像メモリであるメモリモジュールＭＥＭ（以下では単にＭＥＭと記述），プログラムならびに書画情報の格納，蓄積を行うハードディスク装置ＨＤＤ（以下では単にＨＤＤと記述），システムコントローラ１，ＲＡＭ４，不揮発メモリ５，フォントＲＯＭ６，ＣＤＩＣ，ＩＰＰ等、を備える。パラレルバスＰｂには、ファクシミリ制御ユニットＦＣＵ（以下単にＦＣＵと記述）を接続している。操作ボード２０はシステムコントローラ１に接続している。
【００５０】
カラー原稿スキャナ１０の、原稿を光学的に読み取る読取ユニット１１は、原稿に対するランプ照射の反射光を、センサボードユニットＳＢＵ（以下では単にＳＢＵと表記）上の、ＣＣＤで光電変換してＲ，Ｇ，Ｂ画像信号を生成し、Ａ／ＤコンバータでＲＧＢ画像データに変換し、そしてシェーディング補正して、出力Ｉ／Ｆ１２を介してＣＤＩＣに送出する。
【００５１】
ＣＤＩＣは、画像データに関し、原稿スキャナ１０（出力Ｉ／Ｆ１２），パラレルバスＰｂ，ＩＰＰ間のデータ転送、ならびに、プロセスコントローラ１７とＡＣＰの全体制御を司るシステムコントローラ１との間の通信をおこなう。また、ＲＡＭ１８はプロセスコントローラ１７のワークエリアとして使用され、不揮発メモリ１９はプロセスコントローラ１７の動作プログラム等を記憶している。
【００５２】
画像メモリアクセス制御ＩＭＡＣ（以下では単にＩＭＡＣと記述）は、書画情報を蓄積する記憶手段であるＭＥＭやＨＤＤに対する画像データの書き込み／読み出しを制御する。システムコントローラ１は、ＨＤＤに対するプログラム，制御データ等の書画情報以外のデータの読み書きを制御し、パラレルバスＰｂに接続される各構成部の動作を制御する。また、ＲＡＭ４はシステムコントローラ１のワークエリアとして使用され、不揮発メモリ５はシステムコントローラ１の動作プログラム等を記憶している。
【００５３】
操作ボード２０は、ＡＣＰがおこなうべき処理を指示する。たとえば、処理の種類（複写、ファクシミリ送信、画像読込、プリント等）および処理の枚数等を入力する。これにより、画像データ制御情報の入力をおこなうことができる。
【００５４】
スキャナ１０の読取ユニット１１より読み取った画像データは、スキャナ１０のＳＢＵでシェーディング補正を施してから、ＩＰＰで、スキャナガンマ補正，フィルタ処理などの、読取り歪を補正する画像処理を施してから、ＭＥＭやＨＤＤに蓄積する。ＭＥＭあるいはＨＤＤの画像データをプリントアウトするときには、ＩＰＰにおいてＲＧＢ信号をＹＭＣＫ信号に色変換し、プリンタガンマ変換，階調変換，および、ディザ処理もしくは誤差拡散処理などの階調処理などの画質処理をおこなう。画質処理後の画像データはＩＰＰから書込みＩ／Ｆ１５に転送される。書込みＩ／Ｆ１５は、階調処理された信号に対し、パルス幅とパワー変調によりレーザー制御をおこなう。その後、画像データは作像ユニット１６へ送られ、作像ユニット１６が転写紙上に再生画像を形成する。
【００５５】
ＩＭＡＣは、システムコントローラ１の制御に基づいて、ＭＥＭ，ＨＤＤに対する画像データのアクセス制御，ＬＡＮ上に接続したパソコンＰＣ１等のプリント用データの展開，ＭＥＭ，ＨＤＤの有効活用のための画像データの圧縮／伸張ならびにパソコンＰＣ１等への画像データの転送等をおこなう。
【００５６】
ＩＭＡＣへ送られた画像データは、データ圧縮後、ＭＥＭ，ＨＤＤに蓄積され、蓄積された画像データは必要に応じて読み出される。読み出された画像データは、伸張され、本来の画像データに戻しＩＭＡＣからパラレルバスＰｂを経由してＣＤＩＣへ戻される。ＣＤＩＣからＩＰＰへの転送後は画質処理をして書込みＩ／Ｆ１５に出力し、作像ユニット１６において転写紙上に再生画像を形成する。
【００５７】
画像データの流れにおいて、パラレルバスＰｂおよびＣＤＩＣでのバス制御により、デジタル複合機の機能を実現する。ファクシミリ送信は、読取られた画像データをＩＰＰにて画像処理を実施し、ＣＤＩＣおよびパラレルバスＰｂを経由してＦＣＵ（ファクシミリ制御ユニット）へ転送することによりおこなわれる。ＦＣＵは、通信網へのデータ変換をおこない、それを公衆回線ＰＮへファクシミリデータとして送信する。ファクシミリ受信は、公衆回線ＰＮからの回線データをＦＣＵにて画像データへ変換し、パラレルバスＰｂおよびＣＤＩＣを経由してＩＰＰへ転送することによりおこなわれる。この場合、特別な画質処理はおこなわず、書込みＩ／Ｆ１５から出力し、作像ユニット１６において転写紙上に再生画像を形成する。
【００５８】
複数ジョブ、たとえば、コピー機能，ファクシミリ送受信機能，プリンタ出力機能が並行に動作する状況において、読取ユニット１１，作像ユニット１６およびパラレルバスＰｂの使用権のジョブへの割り振りは、システムコントローラ１およびプロセスコントローラ１７において制御する。プロセスコントローラ１７は画像データの流れを制御し、システムコントローラ１はシステム全体を制御し、各リソースの起動を管理する。また、デジタル複合機の機能選択は、操作ボード２０においておこなわれ、操作ボード２０の選択入力によって、コピー機能，ファクシミリ機能等の処理内容を設定する。
【００５９】
システムコントローラ１とプロセスコントローラ１７は、パラレルバスＰｂ，ＣＤＩＣおよびシリアルバスＳｂを介して相互に通信をおこなう。具体的には、ＣＤＩＣ内においてパラレルバスＰｂとシリアルバスＳｂとのデータ，インターフェースのためのデータフォーマット変換をおこなうことにより、システムコントローラ１とプロセスコントローラ１７間の通信を行う。
【００６０】
各種バスインターフェース、たとえばパラレルバスＩ／Ｆ  ７、シリアルバスＩ／Ｆ  ９、ローカルバスＩ／Ｆ  ３およびネットワークＩ／Ｆ  ８は、ＩＭＡＣに接続されている。コントローラーユニット１は、ＡＣＰ全体の中での独立性を保つために、複数種類のバス経由で関連ユニットと接続する。
【００６１】
システムコントローラ１は、パラレルバスＰｂを介して他の機能ユニットの制御をおこなう。また、パラレルバスＰｂは画像データの転送に供される。システムコントローラ１は、ＩＭＡＣに対して、画像データをＭＥＭに蓄積させるための動作制御指令を発する。この動作制御指令は、ＩＭＡＣ，パラレルバスＩ／Ｆ  ７、パラレルバスＰｂを経由して送られる。この動作制御指令に応答して、画像データはＣＤＩＣからパラレルバスＰｂおよびパラレルバスＩ／Ｆ  ７を介してＩＭＡＣに送られる。そして、画像データはＩＭＡＣの制御によりＭＥＭに格納されることになる。
【００６２】
一方、ＡＣＰのシステムコントローラ１は、ＰＣからのプリンタ機能としての呼び出しの場合、プリンタコントローラとネットワーク制御およびシリアルバス制御として機能する。ネットワーク経由の場合、ＩＭＡＣはネットワークＩ／Ｆ  ８を介してプリント出力要求データを受け取る。
【００６３】
ＰＣからのプリント出力要求データはシステムコントローラ１により画像データに展開される。その展開先はＭＥＭ内のエリアである。展開に必要なフォントデータは、ローカルバスＩ／Ｆ  ３およびローカルバスＲｂ経由でフォントＲＯＭ６を参照することにより得られる。ローカルバスＲｂは、このコントローラ１を不揮発メモリ５およびＲＡＭ４と接続する。シリアルバスＳｂに関しては、ＰＣとの接続のための外部シリアルポート２以外に、ＡＣＰの操作部である操作ボード２０との転送のためのインターフェースもある。これはプリント展開データではなく、ＩＭＡＣ経由でシステムコントローラ１と通信し、処理手順の受け付け、システム状態の表示等をおこなう。システムコントローラ１とＭＥＭ，ＨＤＤおよび各種バスとのデータ送受信は、ＩＭＡＣを経由しておこなわれる。ＭＥＭ，ＨＤＤを使用するジョブはＡＣＰ全体の中で一元管理される。
【００６４】
図３に、複合機能複写機ＭＦ１の外観を示す。このフルカラー複写機は、大略で、自動原稿送り装置（ＡＤＦ）１３と、操作ボード２０と、カラースキャナ１０と、カラープリンタ１４およびフィニッシャ１００の各ユニットで構成されている。なお、操作ボード２０，ＡＤＦ１３付きのカラースキャナ１０およびフィニッシャ１００は、プリンタ１４から分離可能なユニットであり、カラースキャナ１０は、動力機器ドライバやセンサ入力およびコントローラを有する制御ボードを有して、プリンタ１４の機内の制御ボードの画像データ処理装置ＡＣＰ（図２）と直接または間接に通信を行いタイミング制御されて原稿画像の読み取りを行う。
【００６５】
画像データ処理装置ＡＣＰ（図２）には、パソコンＰＣが接続したＬＡＮ(Local Area Network)が接続されており、ファクシミリコントロールユニットＦＣＵ（図２）には、電話回線ＰＮ（ファクシミリ通信回線）に接続された交換器ＰＢＸが接続されている。カラープリンタ１４のプリント済の用紙は、フィニッシャ１００に排出される。
【００６６】
図４に、スキャナ１０およびそれに装着されたＡＤＦ１３の、原稿画像読み取り機構を示す。このスキャナ１０のコンタクトガラス２３１上に置かれた原稿は、照明ランプ２３２により照明され、原稿の反射光（画像光）が第１ミラー２３３で副走査方向ｙと平行に反射される。照明ランプ２３２および第１ミラー２３３は、図示しない、副走査方向ｙに定速駆動される第１キャリッジに搭載されている。第１キャリッジと同方向にその１／２の速度で駆動される、図示しない第２キャリッジには第２および第３ミラー２３４，２３５が搭載されており、第１ミラー２３３が反射した画像光は第２ミラー２３４で下方向（ｚ）に反射され、そして第３ミラー２３５で副走査方向ｙに反射されて、レンズ２３６により集束され、ＣＣＤ２０７に照射され、電気信号に変換される。第１および第２キャリッジは、走行体モーター２３８を駆動源として、ｙ方向に往（原稿走査），復（リタ−ン）駆動される。このようにスキャナ１０は、コンタクトガラス２３１上の原稿をランプ２３２およびミラー２３３で走査して原稿画像をＣＣＤ２０７に投影するフラットベッド方式の原稿スキャナであるが、シートスルー読み取りも可能なように、第１キャリッジがホームポジション（待機位置）ＨＰで停止しているときの第１ミラー２３３の読み取り視野位置に、シートスルー読み取り窓であるガラス２４０があり、このガラス２４０の上方に自動原稿供給装置(ＡＤＦ)１３が装着されており、ＡＤＦ１３の搬送ドラム（プラテン）２４４がガラス２４０に対向している。
【００６７】
ＡＤＦ１３の原稿トレイ２４１に積載された原稿は、ピックアップローラ２４２およびレジストローラ対２４３で搬送ドラム２４４と押さえローラ２４５の間に送り込まれて、搬送ドラム２４４に密着して読み取りガラス２４０の上を通過し、そして排紙ローラ２４６，２４７で、原稿トレイ２４１の下方の圧板兼用の排紙トレイ２４８上に排出される。
【００６８】
原稿の表面の画像は、原稿読取窓である読み取りガラス２４０を通過する際に、その直下に移動している照明ランプ２３２により照射され、原稿の表面の反射光は、第１ミラー２３３以下の光学系を介してＣＣＤ２０７に照射され光電変換される。すなわちＲＧＢ各色画像信号に変換される。搬送ドラム２４４の表面は、読み取りガラス２４０に対向する白色背板であり、白基準面となるように白色である。
【００６９】
読み取りガラス２４０と原稿始端の位置決め用のスケール２５１との間には、基準白板２３９、ならびに、第１キャリッジを検出する基点センサ２４９がある。基準白板２３９は、照明ランプ２３２の個々の発光強度のばらつき，また主走査方向のばらつきや、ＣＣＤ２０７の画素毎の感度ムラ等が原因で、一様な濃度の原稿を読み取ったにもかかわらず、読み取りデータがばらつく現象を補正（シェーディング補正）するために用意されている。
【００７０】
ＡＤＦ１３の基体２４８は、奥側（図４紙面の裏側）でスキャナ１０の基体にヒンジ結合（蝶番連結）しており、基体２４８の手前側（図４紙面の表側）の取っ手２５０ｍを持ってＡＤＦ１３の基体２４８引き上げることにより、ＡＤＦ１３を起こす（開く）ことができる。ＡＤＦ１３の基体２４８の奥側には、ＡＤＦ１３の開閉を検出するスイッチがある。ＡＤＦ１３の、コンタクトガラス２３１に対向する圧板２５０ｐがＡＤＦ１３の底面部に装着されており、ＡＤＦ１３が閉じると、圧板２５０ｐの下面が、図４に示すように、コンタクトガラス２３１の上面に密着する。
【００７１】
図５に、カラープリンタ１４の機構を示す。この実施例のカラープリンタ１４は、レーザプリンタである。１色のトナー像を形成する、感光体５６および現像器５５ならびに図示を省略したチャージャ，クリーニング装置および転写器の組体（作像ユニット）は、Ｍ（マゼンタ），Ｃ（シアン），Ｙ（イエロー）およびＢｋ（黒）のそれぞれの作像用に一組、合せて４組があり、この順に搬送ベルト５７に沿ってタンデムに配列されており、それらによって形成された各色トナー像が順次に一枚の転写紙上に重ねて転写される。
【００７２】
第１トレイ４８，第２トレイ４９および第３トレイ５０に積載された転写紙は、各々第１給紙装置５１，第２給紙装置５２および第３給紙装置５３によって給紙され、縦搬送ユニット５４によって感光体５６に当接する位置まで搬送される。
【００７３】
スキャナ１０にて読み込まれた画像データは、画像データ処理器ＩＰＰ（図２）で補正され、一旦メモリＭＥＭ（図２）に書き込まれてから、読み出され、読み出した画像データを用いる図５の書込ユニット３０からのレーザー露光によって、図示を省略したチャージャによって均一に荷電した感光体５６に書込まれ、これにより静電潜像を形成する。この静電潜像が現像ユニット５５を通過することによって感光体５６上にトナー像が現れる。転写紙が感光体５６の回転と等速で搬送ベルト５７によって搬送されながら、感光体５６上のトナー像が転写される。その後、定着ユニット５８にて画像を定着させ、排紙ユニット５９によって後処理装置のフィニシャ１００に排出される。
【００７４】
図５に示す、後処理装置のフィニシャ１００は、本体の排紙ユニット５９によって搬送された転写紙を、通常排紙ローラ１０３方向と、ステープル処理部方向へ導く事ができる。切り替え板１０１を上に切り替える事により、搬送ローラ１０３を経由して通常排紙トレイ１０４側に排紙する事ができる。また、切り替え板１０１を下方向に切り替える事で、搬送ローラ１０５，１０７を経由して、ステープル台１０８に搬送する事ができる。ステープル台１０８に積載された転写紙は、一枚排紙されるごとに紙揃え用のジョガー１０９によって、紙端面が揃えられ、一部のコピー完了と共にステープラ１０６によって綴じられる。ステープラ１０６で綴じられた転写紙群は自重によって、ステープル完了排紙トレイ１１０に収納される。
【００７５】
一方、通常の排紙トレイ１０４は前後（図５紙面と垂直な方向）に移動可能な排紙トレイである。前後に移動可能な排紙トレイ部１０４は、原稿毎、あるいは、画像メモリによってソーティングされたコピー部毎に、前後に移動し、排出されてくるコピー紙を簡易的に仕分けるものである。転写紙の両面に画像を作像する場合は、各給紙トレイ４８〜５０から給紙され作像された転写紙を排紙トレイ１０４側に導かないで、経路切り替えの為の分岐爪６０を下向きに廻す事で、一旦反転ユニット１１２に導き、そして両面給紙ユニット１１１にストックする。
【００７６】
その後、両面給紙ユニット１１１にストックされた転写紙は再び、感光体５６に作像されたトナー画像を転写するために、両面給紙ユニット１１１から再給紙され、経路切り替えの為の分岐爪６０を図示水平に戻し、排紙トレイ１０４に導く。この様に転写紙の両面に画像を作成する場合に、反転ユニット１１２および両面給紙ユニット１１１が使用される。
【００７７】
感光体５６，搬送ベルト５７，定着ユニット５８，排紙ユニット５９および現像ユニット５５は、図示を省略したメインモータによって駆動され、各給紙装置５１〜５３はメインモータの駆動を、やはり図示を省略した各給紙クラッチによって伝達することにより駆動される。縦搬送ユニット５４は、メインモータの駆動を図示を省略した中間クラッチによって伝達することにより駆動される。
【００７８】
図６に、ＣＤＩＣの機能構成の概要を示す。画像データ入出力制御１６１は、カラー原稿スキャナ１０（ＳＢＵ）が出力する画像データを受けて、ＩＰＰに出力する。ＩＰＰは、「スキャナ画像処理」１９０（図８，図９）をして、ＣＤＩＣの画像データ入力制御１６２に送りだす。画像データ入力制御１６２が受けたデータは、パラレルバスＰｂでの転送効率を高めるためにデータ圧縮部１６３に於いて、画像データの１次圧縮を行う。圧縮した画像デ−タは、データ変換部１６４でパラレルデータに変換してパラレルデータＩ／Ｆ１６５を介してパラレルバスＰｂへ送出される。パラレルデータバスＰｂからパラレルデータＩ／Ｆ１６５を介して入力される画像データは、データ変換部１６４でシリアル変換される。このデータは、バス転送のために１次圧縮されており、データ伸張部１６６で伸張される。伸張された画像データは、画像データ出力制御１６７によってＩＰＰへ転送される。ＩＰＰでは、「画質処理」３００（図８，図９）によりＲＧＢ画像データをＹＭＣＫ画像データに変換し、プリンタ１４の画像出力用の画像データＹｐ，Ｍｐ，Ｃｐ，Ｋｐに変換してカラープリンタ１４に出力する。
【００７９】
ＣＤＩＣは、パラレルバスＰｂで転送するパラレルデータとシリアルバスＳｂで転送するシリアルデータの変換機能を併せ持つ。システムコントローラ１は、パラレルバスＰｂにデータを転送し、プロセスコントローラ１３１は、シリアルバスＳｂにデータを転送する。２つのコントローラ１，１３１の通信のために、デ−タ変換部１６４およびシリアルデ−タＩ／Ｆ１６９で、パラレル／シリアルデータ変換を行う。シリアルデータＩ／Ｆ１６８は、ＩＰＰ用であり、ＩＰＰともシリアルデ−タ転送する。
【００８０】
図７に、ＩＭＡＣの構成の概略を示す。ＩＭＡＣは、アクセス制御１７２、メモリ制御１７３、２次圧縮／伸張モジュール１７６、画像編集モジュール１７７、システムＩ／Ｆ  １７９、ローカルバス制御１８０、パラレルバス制御１７１、シリアルポート制御１７５、シリアルポート１７４およびネットワーク制御１７８を備えている。２次圧縮／伸張モジュール１７６、画像編集モジュール１７７、パラレルバス制御１７１、シリアルポート制御１７５およびネットワーク制御１７８は、それぞれＤＭＡＣ（ダイレクトメモリアクセス制御）を介してアクセス制御１７２に接続されている。
【００８１】
システムＩ／Ｆ  １７９はシステムコントローラ１に対する命令またはデータの送受信をおこなう。基本的に、システムコントローラ１はＡＣＰ全体を制御する。また、システムコントローラ１はＭＥＭ，ＨＤＤの資源配分を管理し、他のユニットの制御は、システムＩ／Ｆ  １７９、パラレルバス制御１７１およびパラレルバスＰｂを介しておこなう。
【００８２】
ＡＣＰの各ユニットは基本的にパラレルバスＰｂに接続されている。したがって、パラレルバス制御１７１は、バス占有の制御をおこなうことによってシステムコントローラ１およびＭＥＭ，ＨＤＤに対するデータの送受信を管理する。
【００８３】
ネットワーク制御１７８は、ＬＡＮおよびインターネットとの接続を制御する。ネットワーク制御１７８は、ネットワークに接続された外部拡張機器に対するデータの送受信を管理する。すなわち、ＨＤＤに格納（セットアップ）したｗｗｗサーバ，ＦＴＰサーバ，ＳＭＴＰサーバ，ＤＨＣＰサーバおよびその他の、ファイル，メールの送受信に使用するサーバに基づいて、ＬＡＮおよびインターネットを介するファイル，メールの送受信を行う。また、送信ファイルの生成ならびに受信ファイルのディレクトリへの付加を行う。システムコントローラ１は、ＩＭＡＣにおけるネットワークインターフェースについて制御をおこなう。例えば、操作ボード２２０又はＰＣからの原稿読み取り＆送信のコマンドに対応してＩＭＡＣに、送信ファイルの生成，送信先のディレクトリの生成および送信を指示する。
【００８４】
シリアルバスに接続されるシリアルポート１７４は複数のポートを備えている。シリアルポート制御１７５は、用意されているバスの種類に対応する数のポート制御機構を備えている。外部シリアルポートとは別に、操作部とのコマンド受け付けまたは表示に関するデータの送受信の制御を行う。
【００８５】
ローカルバス制御１８０は、システムコントローラ１を起動させるために必要なＲＡＭ４，不揮発メモリ５およびプリンタコードデータを展開するフォントＲＯＭ６が接続されたローカルシリアルバスＲｂとのインターフェースをおこなう。
【００８６】
アクセス制御１７２は、システムＩ／Ｆ  １７９からシステムコントローラ１によるコマンド制御を実施する。アクセス制御１７２はまた、ＭＥＭ，ＨＤＤを中心に、外部ユニットからのＭＥＭ，ＨＤＤアクセスを管理する。画像データはＣＤＩＣからパラレルバスＰｂを介してＩＭＡＣに転送される。そして、その画像データはパラレルバス制御１７１においてＩＭＡＣ内に取り込まれる。
【００８７】
取り込まれた画像データのメモリアクセスは、システムコントローラ１の管理から離れる。すなわち、そのメモリアクセスは、システム制御から独立してダイレクトメモリアクセス制御（ＤＭＡＣ）によりおこなわれる。ＭＥＭ，ＨＤＤへのアクセスについて、アクセス制御１７２は複数ユニットからのアクセス要求の調停をおこなう。そして、メモリ制御１７３は、ＭＥＭ，ＨＤＤのアクセス動作またはデータの読み出し／書き込みを制御する。
【００８８】
ネットワークからＭＥＭ，ＨＤＤへアクセスする場合、ネットワークからネットワーク制御１７８を介してＩＭＡＣ内に取り込まれたデータは、ダイレクトメモリアクセス制御ＤＭＡＣによりＭＥＭ，ＨＤＤへ転送される。アクセス制御１７２は、複数ジョブでのＭＥＭ，ＨＤＤへのアクセスの調停をおこなう。メモリ制御１７３は、ＭＥＭ，ＨＤＤに対するデータの読み出し／書き込みをおこなう。シリアルバスからＭＥＭ，ＨＤＤへアクセスする場合、シリアルポート制御１７５によりシリアルポート１７４を介してＩＭＡＣ内に取り込まれたデータは、ダイレクトメモリアクセス制御ＤＭＡＣによりＭＥＭ，ＨＤＤへ転送される。
【００８９】
ネットワークまたはシリアルバスに接続されたＰＣからのプリント出力データは、システムコントローラ１により、ローカルバス上のフオントデータを用いて、ＭＥＭ，ＨＤＤ内のメモリエリアに展開される。
【００９０】
各外部ユニットとのインターフェースについては、システムコントローラ１が管理する。ＩＭＡＣ内に取り込まれた後のデータ転送については、図７に示すそれぞれのＤＭＡＣがメモリアクセスを管理する。この場合、各ＤＭＡＣは、お互いに独立してデータ転送を実行するため、アクセス制御１７２は、ＭＥＭ，ＨＤＤへのアクセスに関するジョブの衝突、または各アクセス要求に対する優先付けをおこなう。
【００９１】
ここで、ＭＥＭ，ＨＤＤへのアクセスには、各ＤＭＡＣによるアクセスの他に、格納データのビットマップ展開のためにシステムＩ／Ｆ  １７９を介してシステムコントローラ１からのアクセスも含まれる。アクセス制御１７２において、ＭＥＭ，ＨＤＤへのアクセスが許可されたＤＭＡＣデータ、またはシステムＩ／Ｆ  １７９からのデータは、メモリ制御１７３によりＭＥＭ，ＨＤＤに直接転送される。
【００９２】
ＩＭＡＣは、その内部でのデータ加工に関して２次圧縮／伸張モジュール１７６および画像編集モジュール１７７を有する。２次圧縮／伸張モジュール１７６は、２値画像データの圧縮，伸張を行うＭＨ方式の符号化／復号化機能および多値画像データの圧縮，伸張を行うＪＰＥＧ方式の符号化／復号化機能ならびにＴＩＦＦ方式のファイル化機能およびＰＤＦ方式のファイル化機能を含み、画像データまたはコードデータをＭＥＭ，ＨＤＤへ有効に蓄積できるようにデータの圧縮およびファイル化ならびに圧縮データの伸張をおこなう。２次圧縮／伸張モジュール１７６はＤＭＡＣによりＭＥＭ，ＨＤＤとのインターフェースを制御する。ＨＤＤ又はＭＥＭに書画情報を蓄積するときは、書画情報は、２次圧縮／伸張モジュール１７６によって所要のデータ形式およびファイル形式に変換される。また、ＨＤＤ又はＭＥＭから書画情報ファイルを読み出してネットワークに送出するときにも必要であれば、２次圧縮／伸張モジュール１７６によってデータ変換，ファイル形式の変換が行われる。
【００９３】
ＭＥＭ，ＨＤＤに一旦格納された画像データは、ダイレクトメモリアクセス制御ＤＭＡＣによりＭＥＭ，ＨＤＤからメモリ制御１７３、アクセス制御１７２を介して２次圧縮／伸張モジュール１７６に呼び出される。そこでデータ変換された画像データは、ダイレクトメモリアクセス制御ＤＭＡＣにより、ＭＥＭ，ＨＤＤへ戻されるか、外部バスへ出力される。
【００９４】
画像編集モジュール１７７は、ＤＭＡＣによりＭＥＭ，ＨＤＤを制御し、ＭＥＭ，ＨＤＤ内でのデータ加工をおこなう。具体的には、画像編集モジュール１７７は、メモリ領域のクリアの他に、データ加工として画像データの回転処理，異なる画像同士の合成などをおこなう。画像編集モジュール１７７は、ＭＥＭ，ＨＤＤから２次圧縮データを読出して２次圧縮／伸張モジュール１７６で１次圧縮データに伸張し、モジュール１７７内で、ＣＤＩＣのデータ伸張１６３と同じ復号化ロジックで１次圧縮データを画像データに伸張してモジュール１７７内のメモリに展開し、それを加工する。加工した画像データは、ＣＤＩＣの１次圧縮ロジックと同じ符号化ロジックで１次圧縮して、２次圧縮／伸張モジュール１７６で更に２次圧縮してＭＥＭ，ＨＤＤに書込む。
【００９５】
図８に、ＩＰＰの画像処理概略を示す。読み取り画像はＳＢＵ，ＣＤＩＣを介してＩＰＰの入力Ｉ／Ｆ（インターフェース）から「スキャナ画像処理」１９０へ伝達される。この「スキャナ画像処理」１９０は、読み取り画像信号の読み取り劣化補正が目的で、シェーディング補正を行った後にスキャナガンマ変換等を行った後にＣＤＩＣにデータは転送されて、ＭＥＭ，ＨＤＤでの蓄積が行われる。ＭＥＭ，ＨＤＤに蓄積し、そして読み出された画像データは、ＣＤＩＣを経由して再びＩＰＰに転送される。ここで「地肌除去補正処理」が行われる。そして「画質処理」３００が行われる。
【００９６】
図９に、ＩＰＰの画像処理機能の概要を示す。ＩＰＰは分離生成（画像が文字領域か写真領域かの判定：像域分離）１９２，地肌除去１９３，スキャナガンマ変換１９４，フィルタ１９５，色補正３０２，変倍３０３，画像加工３０４，プリンタガンマ変換３０５および階調処理６０６を行う。ＩＰＰは画像処理をおこなうプログラマブルな演算処理手段である。スキャナ１０の出力Ｉ／Ｆ１２からＣＤＩＣに入力された画像データは、ＣＤＩＣを経由してＩＰＰに転送され、ＩＰＰにて光学系およびデジタル信号への量子化に伴う信号劣化（スキャナ系の信号劣化）を補正され、再度、ＣＤＩＣへ出力（送信）される。ＣＤＩＣからＩＰＰへ戻される画像データに対して、ＩＰＰにおいては、「画質処理」３００を行う。「画質処理」３００では、色補正３０２でＲＧＢ信号をＹＭＣＫ信号に色変換し、変倍３０３，画像加工３０４，プリンタガンマ変換３０５および、階調変換，ディザ処理もしくは誤差拡散処理などの階調処理３０６などをおこなう。
【００９７】
図１０に、操作ボード２０の操作盤面の一部を示す。操作ボード２０には、液晶タッチパネル２１、テンキー２２、クリア／ストップキー２３、スタートキー２４、予熱キー２５、リセットキー２６、初期設定キー２７、コピーキー２８、コピーサーバキー２９があり、液晶タッチパネル２１には、機能キー、部数、及び画像形成装置の状態を示すメッセージなどが表示される。初期設定キー２７を押す事で、機械の初期状態を任意にカスタマイズする事が可能である。機械が収納している用紙サイズを設定したり、コピー機能のモードクリアキーを押したときに設定される状態を任意に設定可能である。また、一定時間操作が無いときに優先して選択されるアプリケーション等も選択する事、国際エネルギースター計画に従った低電力への移行時間の設定や、オートオフ／スリープモードへの移行する時間を設定する事が可能である。予熱キー２５を押すと、機械は待機状態から、電力低減状態に移行し、定着温度を低下させたり、操作部の表示を消灯する。予熱状態は、国際エネルギースター計画で言う、低電力状態を意味している。また、予熱状態、オフ状態／スリープ状態を解除し、待機状態に移行させるには、この予熱キーを再度押下する。コピーキー２８の押下により、コピー機能の使用が可能である。コピーサーバキー２９は、既存の蓄積画像データの編集（コピーモード設定、印刷、削除）を行なうときに使用する。図１０は、液晶タッチパネル２１に、デフォルト表示のコピー条件入力画面を表示した状態を示す。この状態で「コピーサーバ」キー２９にタッチがあると、液晶タッチパネル２１の表示は図１２に示すコピーサーバ機能選択画面に切り換る。このコピーサーバ機能選択画面に表示された「コピー」キーにタッチがあると、液晶タッチパネル２１の表示はコピーサーバ機能選択画面に切り換る前のコピー条件入力画面（図１０）に戻る。コピーサーバ機能の詳細は、後述する。
【００９８】
図１１に、図２に示すシステムコントローラ１の画像処理制御の概要を示す。複写機ＭＦ１に電源が投入されて、図示しない電源回路から動作電圧が印加されると（ステップ１）、システムコントローラ１は、電源オン応答の初期化処理（ステップ２）を実行して、操作ボード２０の液晶タッチパネル２１には、操作ボード２０のＣＰＵ（図示せず）を介して、図１０に示すような、デフォルト（標準）に設定された、コピーモードの入力待機画面を表示する（ステップ３）。
【００９９】
なお、以下においては、カッコ内にはステップという語を省略して、ステップ番号数字のみを記す。また、システムコントローラ１は、操作ボード２０への入力の読み取りおよび操作ボード２０の表示の切り換えは、操作ボード２０内のＣＰＵを介して行うが、以下においては、該ＣＰＵを介して行うとの記述は省略して操作ボード２０が行うと表現する。
【０１００】
次の「入力読み取り」（４）では、操作ボード２０に対するユーザ入力、あるいはネットワークを介したＰＣ１〜ＰＣ３或いはその他のＰＣもしくは機器（以上の全てをひっくるめて外部機器と表現することもある）からのアクセスを読み取る。ここでコピー（複写）条件入力があるとそれを読み込み、スタートキー２４の操作があるとコピー処理制御（５〜９）を行う。このコピー処理制御においては、原稿スキャナ１０から読み込んだ画像データは、指定枚数のコピーのためにＭＥＭ或いはＨＤＤに一時蓄積するが、指定枚数のコピーを終えた時点で自動的に消去する。ＰＣ等の外部機器からそれが与えるドキュメントの印刷指示を受けると、該ドキュメントを受信してプリントアウトする（１０，１１）。この場合も、ドキュメントデータは、指定枚数の印刷のためにＭＥＭ或いはＨＤＤに一時蓄積するが、指定枚数の印刷を終えた時点で自動的に消去する。
【０１０１】
「コピーサーバ」キー２９にタッチがあると操作ボード２０は液晶タッチパネル２１の表示を、図１２に示す「コピーサーバ」の機能選択画面に切り換える（５，１０，１１）。該画面に表示された「コピー＆蓄積」キーは、原稿スキャナ１０で原稿を読み取ってＨＤＤに蓄積ししかもプリンタ１４でプリントアウトするコピーモードを指定するもの、「原稿読み取り」は原稿スキャナ１０で原稿を読み取ってＨＤＤに蓄積する読み取り＆蓄積を指定するもの、「文書選択」キーは、ＨＤＤに蓄積している書画ファイルリストの表示を指定するもの、また、「印刷条件」キーは印刷条件の設定（のための入力画面の表示）を指示するもの、である。印刷条件を設定する入力画面を表示しているときにスタートキー２４が押されると、該入力画面に表示した印刷条件で印刷が開始される。「コピー」キーは、コピーモードの入力画面（図１０）への復帰を指定するものである。
【０１０２】
「コピー＆蓄積」キーにユーザがタッチすると操作ボード２０は液晶タッチパネル２１に「コピー＆蓄積」入力画面を表示する。「コピー＆蓄積」入力画面は、図１０に示す液晶タッチパネル２１のコピー条件指定画面にさらに「蓄積条件」キーが加わったものであり、この「蓄積条件」キーにユーザがタッチすると、操作ボード２０は、「蓄積条件」入力画面を液晶タッチパネル２１にポップアップ表示する。該「蓄積条件」入力画面には、画像データの符号化の選択（圧縮する／しない）、ならびに、ファイル形式（ＴＩＦＦ／ＰＤＦ）を選択する欄が表示されており、選択のデフォルトは、圧縮する＆ＴＩＦＦである。画像を表わすデータ形式は、コピー条件指定画面上の「黒」，「青」，「赤」，「黄」，「フルカラー」および「グレースケール」の指定によって定まる。「黒」，「青」，「赤」，「黄」はそれぞれ記録色指定であり、「グレースケール」は多階調（多値画像データ）指定である。たとえば「グレースケール」指定なしで「黒」指定があると、単色黒の２値画像データの指定であり、「グレースケール」指定ありで「黒」指定があると単色黒の多値画像データの指定である。「青」，「赤」，「黄」の指定の場合も同様である。「フルカラー」の指定の場合は、フルカラーの多値画像データの指定であり、「グレースケール」の指定の有無は無関係となる。また、「黒」，「青」，「赤」，「黄」の２色の指定もあり、この場合も多値画像データの指定であり、「グレースケール」の指定の有無は無関係となる。操作ボード２０は、上記「蓄積条件」とデータ形式との組み合わせの設定を次の表１のように定めている。
【０１０３】
【表１】
2006081081.tif 000003
【０１０４】
表１上のケースＮｏ．Ａは、「黒」，「青」，「赤」又は「黄」の単色指定があって、「グレースケール」指定はない場合であり、単色２値データの画像データすなわち２値画像データを生成する。この場合、２値画像データの圧縮符号化はデータ量を低減するので、また復号化の信頼性も高いので、ＭＨ方式で圧縮符号化してＨＤＤに蓄積する。この符号化データは、ＴＩＦＦでもＰＤＦでもファイル化できるが、汎用性が高いＴＩＦＦをファイル形式に設定している。ケースＮｏ．Ｂ１およびＢ２は、単色指定ではあるが「グレースケール」指定がある場合であり、多値データの画像データすなわち単色多値画像データを生成する。圧縮符号化しない場合Ｂ１では、ＴＩＦＦ，ＰＤＦのいずれのファイル形式でもファイル化できるので、ＴＩＦＦ，ＰＤＦのいずれの選択も可能にしている。圧縮符号化する場合Ｂ２では、ＪＰＥＧで圧縮符号化するが、ＴＩＦＦではファイル化できない（後の読み出し利用で一般的なＰＣでは利用できない）ので、ＰＤＦのみを選択可にしている。ケースＮｏ．Ｃ１およびＣ２は、２色多値画像データの指定である。２色多値画像データの圧縮符号化をしない場合Ｃ１は、ＴＩＦＦ，ＰＤＦのいずれの選択も可能にしている。圧縮符号化する場合Ｃ２では、ＪＰＥＧで圧縮符号化するが、ＴＩＦＦではファイル化できない（後の読み出し利用で一般的なＰＣでは利用できない）ので、ＰＤＦのみを選択可にしている。ケースＮｏ．Ｄ１およびＤ２は、フルカラー（「黒」，「青」，「赤」＆「黄」の４色）の指定である。フルカラーの多値画像データの圧縮符号化をしない場合Ｄ１は、ＴＩＦＦ，ＰＤＦのいずれの選択も可能にしている。圧縮符号化する場合Ｄ２では、ＪＰＥＧで圧縮符号化するが、ＴＩＦＦではファイル化できない（後の読み出し利用で一般的なＰＣでは利用できない）ので、ＰＤＦのみを選択可にしている。
【０１０５】
表１に示すデータ形式とファイル形式との組み合わせとならない入力があった場合には操作ボード２０は、その入力が無効であり該入力を有効にするために変更すべき選択項目を表示する警告を液晶タッチパネル２１にポップアップ表示する。たとえばケースＮｏ．Ｂ２のデータ形式でファイル形式にＴＩＦＦが指定されると、ＴＩＦＦの選択は不可，ＴＩＦＦを選択するためには「グレースケール」の指定を解除しなければならない旨を表わす警告文を表示する。
【０１０６】
スタートキー２４が押されるとシステムコントローラ１はコピーを開始し、ＩＭＡＣを用いて原稿スキャナ１０の画像データを選択された蓄積条件（表１）でファイル化してＨＤＤに蓄積する（１５）。
【０１０７】
コピーサーバ画面（図１２）上の「原稿読み取り」キーにユーザがタッチすると操作ボード２０は液晶タッチパネル２１に「原稿読み取り」入力画面を表示する。「原稿読み取り」入力画面は、図１０に示す液晶タッチパネル２１のコピー条件指定画面から、印刷出力関連のキーブロックを削除し、かつ「蓄積条件」キーを加えたものであり、この「蓄積条件」キーにユーザがタッチすると、操作ボード２０は、「蓄積条件」入力画面を液晶タッチパネル２１にポップアップ表示する。蓄積条件の設定（データ形式＆ファイル形式）は、上述の「コピー＆蓄積」の場合（表１）と同様である。スタートキー２４が押されるとシステムコントローラ１は原稿読み取りを開始し、ＩＭＡＣを用いて原稿スキャナ１０の画像データを選択された蓄積条件（表１）でファイル化してＨＤＤに蓄積する（１７）。
【０１０８】
コピーサーバ画面（図１２）上の「文章選択」キーにユーザがタッチすると操作ボード２０は液晶タッチパネル２１に、「文章選択」入力画面を表示する（１８，１９）。「文章選択」入力画面の一例を図１３に示す。液晶タッチパネル２１にはＨＤＤに蓄積された書画情報ファイルのリストが表示される。このとき、ジョブを、タッチパネル内任意のキーを押下することで、変更することができる。ＨＤＤに蓄積された文書は、ユーザＩＤ，文書名，ページ数，時刻が１文書１行ごとに表示される。文書名は画像蓄積をする毎に付けられる。ページ数は蓄積した原稿画像の枚数である。蓄積時刻は画像蓄積された時の時間を表す。図１３の表示例では５行のみ表示されているが、スクロールキーの「前へ」キー，「後へ」キーを押下することにより表示されていない画像情報が表示可能である。表示領域に表示されている各行を押下すると該行が黒色に反転する。これを選択状態と呼ぶ。複数の画像情報が選択状態として指定可能である。リスト上の書画情報ファイルに対しては、「リストから削除」と「印刷条件」を指示できる。リスト上の書画情報ファイルを選択し「リストから削除」キーを押下すると選択された文書が削除される（２０，２１）。書画情報ファイルを選択し、「印刷条件」キーを押下すると、タッチパネル上の表示は印刷条件入力画面となる。ここで印刷条件を設定し、スタートキー２４を押下することにより、指定された印刷条件に従って選択ファイルの画像を印刷出力する（２２，２３）。
【０１０９】
ＰＣ等外部機器からネットワークを介してｗｗｗ(World Wide Web)のアクセスがあると、ネットワーク制御１７８（ｗｗｗサーバ，ＦＴＰサーバ，ＤＮＳサーバおよび認証サーバを含む）が、マイクロソフト社のWindowsに標準装備するｗｗｗブラウザであるInternet Explorer（をインストールしたＰＣ）に書画情報ファイルを提供する「Ｎｅｔアプリケーション」（２３）を実行する（２２，２３）。
【０１１０】
図１４に、「Ｎｅｔアプリケーション」（２３）の概要を示す。ここではＰＣからのＵＲＬアクセスに応答して、蓄積情報配信のためのトップページを表示する情報を該ＰＣに送信する。これを受信したＰＣのｗｗｗブラウザ（Ｗｅｂブラウザともいう；本実施例ではInternet Explorer）は、該ＰＣに接続されたディスプレイに該トップページを表示する。すなわちネットワーク制御１７８がＰＣのディスプレイにトップページを表示する（３１）。
【０１１１】
なお、このディスプレイ上の表示，遷移，選択は、ネットワーク制御１７８が、ＰＣのＷｅｂブラウザからの要求において、ブラウザ画面内情報をＨＴＭＬデータとして、ネットワーク制御１７８からＰＣに送って、ブラウザ（ＰＣ）側で、表示操作させている。これらは、Ｗｅｂブラウザの表示で一般的なＨＴＭＬデータとともに、画面操作用のスクリプト情報（JavaScript）も一緒に送って実現される。また、ボタンなどを押下したときには、その要求が、ＰＣから、ネットワーク制御１７８に伝えられ、画面情報データの切り替えやダウンロードファイル情報の転送が行なわれる。これらは、インターネットで普及されているネットワーク上の基本的なプロトコルであるＨＴＴＰプロトコルを利用している。
【０１１２】
前記トップページには、メニュー項目の他に、ユーザ（ＰＣ１使用者）ＩＤおよびパスワードを入力するブロックがあり、そこにユーザが、ＭＦ１に登録したＩＤおよびパスワードを入力してキーボードのＥｎｔｅｒキーを操作すると或いはトップページ上のログインボタンをクリックすると、ＰＣ１が該操作を表わす情報をＭＦ１に送信する。これに応答して、ＭＦ１がトップページのメニュー項目を選択可にする表示制御情報をＰＣ１に送信し、これによりトップページのメニュー項目がアクティブ（入力受け入れ可）になる。すなわち、ユーザがＭＦ１に登録されたＩＤおよびパスワードを入力してログインボタンをクリックするとこれに応答してネットワーク制御１７８が、ＰＣのディスプレイに表示しているトップページのメニュー項目の指定（選択）を可能にする。
【０１１３】
ユーザがメニュー項目の１つである「ドキュメントボックス」を指定すると、これに応答してネットワーク制御１７８がＰＣのディスプレイに、図１５に示す「ドキュメントボックス一覧表示」を表示する（３２，３３）。この一覧表示は、ＨＤＤに蓄積した、ユーザＩＤおよびパスワードの組み合わせ（ユーザランク）宛てにアクセスが許可された書画情報フアイルをリスト表示するものである。図１５に示す「ドキュメントボックス一覧表示」において、任意の画像情報ファイル毎にあるプロパティボタン７２を選択してクリックすることで、図１６〜図１８のプロパティ画面に遷移することができる。図１５においては、４つの文書毎に、左から文書名、機能、プロパティボタン７２、作成日、文書の有効期限、ページ数、パスワードの有無が表示されている。機能欄の右側アイコンは、その文書のカラーモード状態を示していて、上の文書から、白黒（黒２値画像データ）、２色（２色多値画像データ）、単色（青，赤又は黄の２値画像データ）、フルカラー（ＲＧＢ系フルカラー多値画像データ又はＹ，Ｍ，Ｃ，Ｂｋ系フルカラー多値画像データ；ただし色座標変換した多値画像データ）で蓄積されていることを示している。
【０１１４】
図１６は、図１５の下から２つ目の文書であるＣＯＰＹ００１７のプロパティボタンを選択し、そのプロパティ情報を表示したものである。プロパティ情報表示画面上の、文書名からページ数まで、およびパスワードの各項目は管理情報、原稿サイズおよびカラー画像の項目は画像の属性情報であり、タイトル「ダウンロード」に並んだファイル形式，白黒変換（ここでは多値画像データの２値画像データへの変換を意味する。黒色に限らない。）およびページの各欄がユーザ選択欄であり、これらのユーザ選択欄の下の「ダウンロード」ボタンが、選択入力の終了時に、ネットワーク制御１７８に書画情報ファイルの転送を指示するものである。
【０１１５】
この実施例１では、ファイル形式選択欄では、ＴＩＦＦとＰＤＦの一方をユーザは選択できるが、デフォルトには「ＰＤＦ」を設定している。また、データ形式選択欄は「白黒変換」（多値画像データの２値画像データへの変換）を「しない」／「する」の一方をユーザは選択できるが、デフォルトには「しない」を設定している。ユーザの、ある書画情報ファイルのプロパティアイコン７２のクリックに応答する文書プロパティ画面の表示では、ネットワーク制御１７８は、ファイル形式選択欄に「ＰＤＦ」を、データ形式選択欄は「白黒変換」を「しない」と表示する（３４，３５）。このとき、該当書画情報ファイルの画像の属性が白黒又は単色、すなわち２値画像データである場合には、ネットワーク制御１７８は、データ形式選択欄は「白黒変換」の欄は、選択不要であるので、削除する（３６，３７）。
【０１１６】
ファイル形式（ＰＤＦ／ＴＩＦＦ）とデータ形式の変換（多値画像データの２値画像データへの変換）をユーザは選択できるが、ＴＩＦＦが選択された場合には、ネットワーク制御１７８は、データ形式の変換（「白黒変換」の欄）を「する」に設定する（３８〜４１）。「ＴＩＦＦ」から「ＰＤＦ」に変更があった場合には、ＰＤＦはいずれのデータ形式にも適用できる（ＰＣのInternet Explorerで画像を展開できる）ので、ダウンロードの指示を待つ（４２，４３）。「ダウンロード」キーをユーザがクリックするとネットワーク制御１７８は、該当の書画情報ファイルをＨＤＤから読み出して、「白黒変換」の欄）が「する」で画像データが多値画像データである場合には２値画像データに変換し選択されているファイル形式にファイル化してＰＣに送信する（４３，４４）。該当の書画情報ファイルのファイル形式およびデータ形式共に、選択されたファイル形式およびデータ形式に合致する場合には、ＨＤＤから読み出した書画情報ファイルをそのままＰＣに送信する。
【０１１７】
例えば、図１６画面内の上から、９番目の「カラー画像」の欄は、単色で、カラー色は、ライトグリーン（多値画像データ）であることがわかる。白黒画像（２値画像データ）でないので、ダウンロードの欄では、ファイル形式とともに、白黒変換の選択（２値画像データへの変換をする／しないの指定）ができる。ファイル形式は、デフォルトで、ＰＤＦが表示されているが、プルダウンメニューにより、マルチページＴＩＦＦを選択することができる。これらの選択をし、その下のダウンロードボタンを押下することで、選択内容に従い、ダウンロードをすることができる。図１７は、ダウンロードのファイル形式を、ＰＤＦからマルチページＴＩＦＦに変更し、白黒変換をするに選択したときの画面の状態である。このように、白黒画像（単色２値画像データ）でなくても、マルチページＴＩＦＦで、白黒変換を「する」に指定することで、ＴＩＦＦ形式でダウンロードしてディスプレイ上に画像を展開することが可能となる。カラー画像を含む文書であるＣＯＰＹ００１７において、ダウンロード指定をする際、デフォルトでは、図１６のように、ファイル形式がＰＤＦになっていて、その際の白黒変換の指定が、”しない”になっている。それを図１７のように、ファイル形式をＴＩＦＦに変更した際、白黒変換は、それに連動して、「する」に変更する。図１５において、白黒画像ファイルであるＣＯＰＹ００２０のプロパティボタンを開いて、図１８のようなプロパティ画面へ遷移する。この際、白黒画像なので、白黒変換選択を表示しない。
【実施例２】
【０１１８】
実施例２のハードウエア構成は上述の実施例１と同様であるが、実施例２のネットワーク制御１７８が実行する「Ｎｅｔアプリケーション」の内容が実施例１のものと少し相違する。
【０１１９】
図１９に、実施例２のネットワーク制御１７８が実行する「Ｎｅｔアプリケーション」（２１ａ）の内容を示す。実施例２のネットワーク制御１７８は、ユーザの、ある書画情報ファイルのプロパティアイコン７２のクリックに応答する文書プロパティ画面の表示では、ファイル形式選択欄に「ＴＩＦＦ」を、データ形式選択欄は「白黒変換」を「する」と表示する（３４，３５ａ）。そして、「ＴＩＦＦ」から「ＰＤＦ」に変更があった場合には、ＰＤＦはいずれのデータ形式にも適用できる（ＰＣのInternet Explorerで画像を展開できる）ので、データ形式選択欄は「白黒変換」を「しない」と表示して、ダウンロードの指示を待つ（４２，５１，４３）。その他の処理は実施例１と同様である。
【実施例３】
【０１２０】
実施例３のハードウエア構成も上述の実施例１と同様であるが、実施例３のネットワーク制御１７８が実行する「Ｎｅｔアプリケーション」の内容が実施例１のものと少し相違する。
【０１２１】
図２０に、実施例３のネットワーク制御１７８が実行する「Ｎｅｔアプリケーション」（２１ｂ）の内容を示す。実施例３のネットワーク制御１７８が、ユーザが指定した書画情報ファイルのプロパティをユーザＰＣのディスプレイに表示する「文書プロパティ」の画像の属性情報の中の「カラー画像」の欄の表示は、実施例１，２では「白黒」（２値画像データ）又は色表示（多値画象データ）であるのに対して、実施例３では、カラー画像（多値画像データ）の有無を表示する。また、ユーザの、ある書画情報ファイルのプロパティアイコン７２のクリックに応答する文書プロパティ画面の表示では、実施例１と同様に、ファイル形式選択欄に「ＰＤＦ」を、データ形式選択欄は「白黒変換」を「しない」と表示する（３５）。文書プロパティ画面に対するユーザ入力に応答して表示を更新し選択情報を更新するが（６１）、「ダウンロード」キーのクリックがあったときに、ネットワーク制御１７８は、選択があったファイル形式とデータ形式の組み合わせをチェツクして、必要に応じてエラー報知（６５）あるいは警告報知（７０）をする。
【０１２２】
図２１に示すように、ダウンロードのファイル形式を、ＰＤＦからマルチページＴＩＦＦに変更し、白黒変換をしないと選択すると、ＴＩＦＦ形式でダウンロードをすることはできない（ＰＣでディスプレイ上に画像を展開できない、すなわち利用できない）ので、図２２にあるようなエラーメッセージを表示し、ユーザーにカラー画像を含んだ画像はダウンロード（利用）できないことを明示する（６２〜６５）。ユーザが「ＯＫ」をクリックすると、選択を変更することができる。エラー状態のまま「ファイル転送」（４４）に進むことはない。図２１のように、カラー画像を含む文書であるＣＯＰＹ００５３において、ダウンロード指定をする際、デフォルトでは、その文書がカラー画像を含んでいるか否かを、ダウンロードの設定を行なうプロパティ画面内の項目に表示させている。図中の「カラー画像」の項目がそれで、有りか無しで、それをユーザーに明示することで、その文書を、白黒変換しないでマルチページＴＩＦＦのダウンロードができないことを理解させる。
【０１２３】
図２３に示すように、文書がカラー画像を含んでいるか否かに加えて、カラー画像を含むページを表示させる。図中の「カラー画像の有無」の項目の下の記載がそれで、それをユーザーに明示させることで、そのページを含むページを白黒変換しないでマルチページＴＩＦＦのダウンロード（利用）ができないことを理解させる。図２３では、ダウンロード形式はデフォルトでＰＤＦ、白黒変換はしない、ページ指定はすべてである。ユーザーがページ指定は、指定するに変更し、指定ページ数を２，３と指定した場合、カラー画像が含まれているので、その後、ファイル形式をＰＤＦからマルチページＴＩＦＦを選択した場合、指定ページの第３ページはカラー画像を含んでいるので、白黒変換の設定項目が、「しない」から「する」に変更することで、ユーザー指定のページをダウンロード可能（利用可）とする（６２，６３，４４）。
【０１２４】
図２４で、白黒変換の指定を「する」から「しない」に変換した際、白黒変換しないでＴＩＦＦ形式でダウンロードをすることはできないので、図２５にあるようなエラーメッセージを表示し、ユーザーにカラー画像を含んだ画像はダウンロードできないことを明示する（６２〜６５）。その際、カラー画像が含まれているページ数も表示する（図２５）。
【０１２５】
ファイル形式がＰＤＦで白黒変換の指定が「する」であって、カラー画像がある場合には、カラー画像（多値画像データ）が２値画像データに変換されてしまうので、ＰＤＦを選択した意図を損なう場合があり得る。そこで図２６に示す「警告報知」を行う（６７〜７０）。「警告報知」の場合には、ユーザが「ＯＫ」をクリックすると、「ファイル転送」（４４）に進むので、ファイル形式がＰＤＦで白黒変換の指定が「する」であって、カラー画像がある場合でも、多値画像データを２値画像データに変換してＰＤＦ形式にファイル化した書画情報ファイルを引き取りできる（７１−４４）。
【実施例４】
【０１２６】
実施例４のハードウエア構成は上述の実施例３と同様であるが、実施例４のネットワーク制御１７８が実行する「Ｎｅｔアプリケーション」の内容が実施例３のものと少し相違する。
【０１２７】
図２７に、実施例４のネットワーク制御１７８が実行する「Ｎｅｔアプリケーション」（２１ｃ）の内容を示す。実施例４のネットワーク制御１７８は、ユーザの、ある書画情報ファイルのプロパティアイコン７２のクリックに応答する文書プロパティ画面の表示では、ファイル形式選択欄に「ＴＩＦＦ」を、データ形式選択欄は「白黒変換」を「する」と表示する（３４，３５ａ）。その他の処理は実施例３と同様である。
【実施例５】
【０１２８】
実施例５のハードウエア構成は上述の実施例４と同様であるが、実施例５のネットワーク制御１７８が実行する「Ｎｅｔアプリケーション」の内容が実施例４のものと少し相違する。
【０１２９】
図２８に、実施例５のネットワーク制御１７８が実行する「Ｎｅｔアプリケーション」（２１ｄ）の内容を示す。実施例５のネットワーク制御１７８は、実施例３および４では、白黒変換の指定を「する」から「しない」に変換した際、白黒変換しないでＴＩＦＦ形式でダウンロードをすることはできないので図２２又は図２５にあるようなエラーメッセージを表示するところ（６５，６６）を省略して、ネットワーク制御１７８が自動的に、白黒変換の指定を「しない」から「する」に変更する（７３）。その他の処理は実施例４と同様である。
【実施例６】
【０１３０】
実施例６のハードウエア構成は上述の実施例１と同様であるが、実施例１のネットワーク制御１７８が実行する「Ｎｅｔアプリケーション」の内容が実施例１のものと少し相違する。
【０１３１】
図２９に、実施例６のネットワーク制御１７８が実行する「Ｎｅｔアプリケーション」（２１ｅ）の内容を示す。実施例６のネットワーク制御１７８は、ユーザが白黒変換を「する」から「しない」に変更した場合に、ファイル形式がＴＩＦＦで、カラー画像があるときには、ネットワーク制御１７８は、図２２にあるようなエラーメッセージを表示する（７４〜７７）。ユーザが「ＯＫ」をクリックすると、選択を変更することができる。エラー状態のまま「ファイル転送」（４４）に進むことはない。
【図面の簡単な説明】
【０１３２】
【図１】本発明の書画蓄積装置の実施例１である画像データ処理装置ＡＣＰを装備した複合機能複写機ＭＦ１が接続されたネットワークを示すブロック図である。
【図２】図１に示す複合機能複写機ＭＦ１の画像処理システムの概要を示すブロック図である。
【図３】図１に示す複合機能複写機ＭＦ１の外観を示す正面図である。
【図４】図２および図３に示すＡＤＦ１３装備のカラー原稿スキャナ１０の拡大縦断面図である。
【図５】図２および図３に示すフルカラープリンタ１４の作像機構の概要を示す拡大縦断面図である。
【図６】図２に示す画像データインターフェース制御ＣＤＩＣの機能構成を示すブロック図である。
【図７】図２に示す画像メモリアクセス制御ＩＭＡＣの機能構成を示すブロック図である。
【図８】図２に示す画像データ処理器ＩＰＰの機能の概要を示すブロック図である。
【図９】図８に示すスキャナ画像処理１９０およびプリンタ画質処理３００の機能構成を示すブロック図である。
【図１０】図２および図３に示す操作ボード２０の一部分の拡大平面図である。
【図１１】図２に示すシステムコントローラ１およびＩＭＡＣの画像処理制御の概要を示すフローチャートである。
【図１２】図１０に示す液晶タッチパネル２１に表示される「コピーサーバ」入力画面を示す拡大平面図である。
【図１３】図１０に示す液晶タッチパネル２１に表示される「文書選択」入力画面を示す拡大平面図である。
【図１４】図７に示すネットワーク制御１７８がサーバソフトを用いて実行する、書画情報のネットワーク配信制御の一部概要を示すフローチャートである。
【図１５】図７に示すネットワーク制御１７８がユーザ端末であるＰＣのディスプレイに表示する「ドキュメントボックス一覧表示」の画面を示す平面図である。
【図１６】図１５に示す「ドキュメントボックス一覧表示」上の１つの書画情報ファイルのプロパティアイコン７２のクリックに応答してネットワーク制御１７８がユーザ端末であるＰＣのディスプレイに表示する文書プロパティ画面の一例を示す平面図である。
【図１７】文書プロパティ画面の他の一例を示す平面図である。
【図１８】文書プロパティ画面の更に他の一例を示す平面図である。
【図１９】本発明の書画蓄積装置の実施例２のネットワーク制御１７８がサーバソフトを用いて実行する、書画情報のネットワーク配信制御の一部概要を示すフローチャートである。
【図２０】本発明の書画蓄積装置の実施例３のネットワーク制御１７８がサーバソフトを用いて実行する、書画情報のネットワーク配信制御の一部概要を示すフローチャートである。
【図２１】本発明の書画蓄積装置の実施例３のネットワーク制御１７８がユーザ端末であるＰＣのディスプレイに表示する文書プロパティ画面の一例を示す平面図である。
【図２２】本発明の書画蓄積装置の実施例３のネットワーク制御１７８がユーザ端末であるＰＣのディスプレイに表示する１つのエラー報知画面を示す平面図である。
【図２３】本発明の書画蓄積装置の実施例３のネットワーク制御１７８がユーザ端末であるＰＣのディスプレイに表示する文書プロパティ画面のもう１つの例を示す平面図である。
【図２４】本発明の書画蓄積装置の実施例３のネットワーク制御１７８がユーザ端末であるＰＣのディスプレイに表示する文書プロパティ画面のもう１つの例を示す平面図である。
【図２５】本発明の書画蓄積装置の実施例３のネットワーク制御１７８がユーザ端末であるＰＣのディスプレイに表示するもう１つのエラー報知画面を示す平面図である。
【図２６】本発明の書画蓄積装置の実施例３のネットワーク制御１７８がユーザ端末であるＰＣのディスプレイに表示する警報画面を示す平面図である。
【図２７】本発明の書画蓄積装置の実施例４のネットワーク制御１７８がサーバソフトを用いて実行する、書画情報のネットワーク配信制御の一部概要を示すフローチャートである。
【図２８】本発明の書画蓄積装置の実施例５のネットワーク制御１７８がサーバソフトを用いて実行する、書画情報のネットワーク配信制御の一部概要を示すフローチャートである。
【図２９】本発明の書画蓄積装置の実施例６のネットワーク制御１７８がサーバソフトを用いて実行する、書画情報のネットワーク配信制御の一部概要を示すフローチャートである。
【符号の説明】
【０１３３】
３０：書込ユニット
３１ｙ，３１ｍ，３１ｃ，３１ｂｋ：レーザダイオードユニット（ＬＤユニット）
３２ｙ，３２ｍ，３２ｃ，３２ｂｋ：シリンダレンズ
３３ｂｋ，３３ｙ：反射ミラー
３４：ポリゴンミラー
３５ｂｋｃ，３５ｙｍ：ｆθレンズ
３６ｙ，３６ｍ，３６ｃ，３６ｂｋ：第１ミラー
３７ｂｋｃ，３７ｙｍ：シリンダミラー
３８ｂｋｃ  ，３８ｙｍ  ：センサ
４８：第１トレイ
４９：第２トレイ    ５０：第３トレイ
５１：第１給紙装置  ５２：第２給紙装置
５３：第３給紙装置  ５４：縦搬送ユニット
５６：感光体        ５７：搬送ベルト
５８：定着ユニット  ５９：排紙ユニット
６０：分岐爪        ２６：搬送モータ
５５：現像器        １００：フィニシャ
１０１：切り替え板  １０３：排紙ローラ
１０４：排紙トレイ  １０５：搬送ローラ
１０６：ステープラ  １０７：搬送ローラ
１０８：ステープル台
１０９：ジョガー    １１０：排紙トレイ
１１１：両面給紙ユニット
１１２：反転ユニット
【図１】
2006081081.tif 000004
【図２】
2006081081.tif 000005
【図３】
2006081081.tif 000006
【図４】
2006081081.tif 000007
【図５】
2006081081.tif 000008
【図６】
2006081081.tif 000009
【図７】
2006081081.tif 000010
【図８】
2006081081.tif 000011
【図９】
2006081081.tif 000012
【図１０】
2006081081.tif 000013
【図１１】
2006081081.tif 000014
【図１２】
2006081081.tif 000015
【図１３】
2006081081.tif 000016
【図１４】
2006081081.tif 000017
【図１５】
2006081081.tif 000018
【図１６】
2006081081.tif 000019
【図１７】
2006081081.tif 000020
【図１８】
2006081081.tif 000021
【図１９】
2006081081.tif 000022
【図２０】
2006081081.tif 000023
【図２１】
2006081081.tif 000024
【図２２】
2006081081.tif 000025
【図２３】
2006081081.tif 000026
【図２４】
2006081081.tif 000027
【図２５】
2006081081.tif 000028
【図２６】
2006081081.tif 000029
【図２７】
2006081081.tif 000030
【図２８】
2006081081.tif 000031
【図２９】
2006081081.tif 000032